(57)【要約】【課題】加工画像の再印刷を容易に行うことができる印刷装置を提供する。【解決手段】ＳＰＣ複合装置１は、メモリカード２８から読み出した画像ファイルに基づいて画像を媒体に印刷するためのプリンタ部３を備える。液晶ディスプレイ１６に印刷対象となる画像を表示し、プリンタ部３は、その表示画像に基づいてトリミングされた加工画像を印刷する。ＳＰＣ複合装置１は、その加工画像の印刷時において、加工画像のファイルを原画像のファイルと関連付けてメモリカード２８に保存する。【選択図】      図１
2005111843.tif 000002
【特許請求の範囲】
【請求項１】
メモリから読み出した画像ファイルに基づいて画像を媒体に印刷するためのプリンタ部を備え、画像表示部に印刷対象となる画像を表示し、前記プリンタ部は、その画像に基づいて加工された加工画像を印刷する印刷装置であって、
前記加工画像を印刷する際に、前記加工された加工画像の画像ファイルを前記メモリに保存することを特徴とする印刷装置。
【請求項２】
前記加工画像のファイルを、加工前の原画像のファイルと関連付けてメモリに保存することを特徴とする請求項１に記載の印刷装置。
【請求項３】
前記各ファイルを関連付けるための情報を定義したスクリプトファイルを生成し、そのスクリプトファイルを前記メモリに保存することを特徴とする請求項２に記載の印刷装置。
【請求項４】
前記メモリから読み出した画像ファイルに基づいて前記加工画像を印刷した後、前記スクリプトファイルの定義情報により前記加工画像に対応する原画像の画像ファイルを検索し、その検索した画像ファイルに基づいて原画像の印刷を行うことを特徴とする請求項３に記載の印刷装置。
【請求項５】
前記スクリプトファイルの定義情報は、前記原画像の画像ファイルの保存先を示すアドレス情報であることを特徴とする請求項４に記載の印刷装置。
【請求項６】
前記加工画像は、原画像から必要な部分を切り出した画像であり、前記画像表示部に表示した原画像について、トリミング領域を設定するために操作される操作ボタンを備えたことを特徴とする請求項１〜５のいずれか１項に記載の印刷装置。
【請求項７】
原稿の画像を読み取るためのスキャナ部を備え、該スキャナ部が読み取った画像の画像ファイルを前記メモリに保存することを特徴とする請求項１〜６のいずれか１項に記載の印刷装置。
【請求項８】
メモリから読み出した画像ファイルに基づいて画像を媒体に印刷する印刷装置において、画像表示部に印刷対象となる画像を表示し、その画像に基づいて加工された加工画像を印刷する印刷方法であって、
前記加工画像を印刷する際に、前記加工された加工画像の画像ファイルを前記メモリに保存することを特徴とする印刷方法。
【請求項９】
メモリから読み出した画像ファイルに基づいて画像を媒体に印刷する印刷装置において、画像表示部に印刷対象となる画像を表示し、その画像に基づいて加工された加工画像を印刷する印刷処理を実行させるためのプログラムであって、
前記加工画像を印刷する際に、前記加工された加工画像の画像ファイルを前記メモリに保存するためのステップを備えたことを特徴とするプログラム。
【発明の詳細な説明】
【技術分野】
【０００１】
本発明は、原画像を加工して加工画像を印刷する印刷装置、印刷方法、及びプログラムに関するものである。
【背景技術】
【０００２】
従来、メモリカードから直接画像データを読み取って該データに応じた画像を印刷可能なプリンタ（スタンドアロン型のプリンタ）が広く普及している。また、そのプリンタには画像表示用の液晶ディスプレイを装備するものもある。該ディスプレイにはユーザが操作パネルで設定した印刷画像がプレビュー画面で画像表示され、ユーザはその画面を見ることによってパソコンがなくても、印刷前に印刷画像を事前に確認することができる。さらに、近年では、そのプレビュー画面を確認して画像のトリミングを行い、不要な部分を削除した加工画像を印刷するプリンタも実用化されている。
【発明の開示】
【発明が解決しようとする課題】
【０００３】
ところで、上記スタンドアロン型のプリンタにおいて、トリミングなどを行った加工画像のデータは、一連の印刷処理が終了した時点でメモリから消去されてしまうため、加工画像を再度印刷したい場合には、その加工画像を得るための操作を繰り返し行う必要がある。つまり、ユーザが操作パネルを操作して、オリジナル画像を液晶ディスプレイのプレビュー画面に再表示した後、画像のトリミングを行うといった作業が必要となる。
【０００４】
本発明は上記問題点を解決するためになされたものであって、その目的は、加工画像の再印刷を容易に行うことができる印刷装置、印刷方法、及びプログラムを提供することにある。
【課題を解決するための手段】
【０００５】
上記目的を達成するため、本発明は、メモリから読み出した画像ファイルに基づいて画像を媒体に印刷するためのプリンタ部を備え、画像表示部に印刷対象となる画像を表示し、前記プリンタ部は、その画像に基づいて加工された加工画像を印刷する印刷装置であって、前記加工画像を印刷する際に、前記加工された加工画像の画像ファイルを前記メモリに保存する。
【０００６】
これによれば、印刷対象の画像のファイルがメモリから読み出され、その画像が画像表示部に表示される。そして、その画像を確認したユーザによって印刷画像が加工され、その加工された加工画像がプリンタ部により印刷される。この印刷時には、加工画像のファイルがメモリに保存される。従って、加工画像のファイルを利用して、加工画像の再印刷を容易に行うことができる。
【０００７】
この印刷装置において、前記加工画像のファイルを、加工前の原画像のファイルと関連付けてメモリに保存する。
これによれば、加工画像を再印刷する際に、加工前の原画像を容易に検索することができ、加工画像の再印刷に加えて、原画像の印刷を容易に行うことができる。
【０００８】
この印刷装置において、前記各ファイルを関連付けるための情報を定義したスクリプトファイルを生成し、そのスクリプトファイルを前記メモリに保存する。
これによれば、メモリに保存したスクリプトファイルが参照され、該ファイルに定義されている関連付けの情報に基づいて、原画像のファイル検索を容易に行うことができる。
【０００９】
この印刷装置において、前記メモリから読み出した画像ファイルに基づいて前記加工画像を印刷した後、前記スクリプトファイルの定義情報により前記加工画像に対応する原画像の画像ファイルを検索し、その検索した画像ファイルに基づいて原画像の印刷を行う。
【００１０】
これによれば、加工画像を再印刷する際に、加工前の原画像を容易に検索することができ、加工画像の再印刷に加えて、原画像の印刷を容易に行うことができる。
この印刷装置において、前記スクリプトファイルの定義情報は、前記原画像の画像ファイルの保存先を示すアドレス情報である。
【００１１】
これによれば、スクリプトファイルに定義されているアドレス情報を参照することにより、原画像の画像ファイルをメモリから的確に読み出すことができる。
この印刷装置において、前記加工画像は、原画像から必要な部分を切り出した画像であり、前記画像表示部に表示した原画像について、トリミング領域を設定するために操作される操作ボタンを備えた。
【００１２】
これによれば、操作ボタンが操作されることにより、画像表示部に表示された原画像におけるトリミング領域が設定され、原画像から必要な部分を切り出した画像が印刷される。また、その印刷時には、切り出し画像のファイルがメモリに記憶されるので、そのファイルを利用することで切り出し画像の再印刷を容易に行うことができる。
【００１３】
この印刷装置において、原稿の画像を読み取るためのスキャナ部を備え、該スキャナ部が読み取った画像のファイルを前記メモリに保存する。
これによれば、スキャナ部が読み取った画像の画像ファイルがメモリに記憶されるので、スキャナ部による原稿画像の再読み取りを行うことなく、加工画像の再印刷を行うことが可能となる。
【００１４】
また、本発明は、メモリから読み出した画像ファイルに基づいて画像を媒体に印刷する印刷装置において、画像表示部に印刷対象となる画像を表示し、その画像に基づいて加工された加工画像を印刷する印刷方法であって、前記加工画像を印刷する際に、前記加工された加工画像の画像ファイルを前記メモリに保存する。
【００１５】
これによれば、加工画像の印刷時に、加工画像の画像ファイルがメモリに保存されるので、その画像ファイルを利用して、加工画像の再印刷を容易に行うことができる。
また、本発明は、メモリから読み出した画像ファイルに基づいて画像を媒体に印刷する印刷装置において、画像表示部に印刷対象となる画像を表示し、その画像に基づいて加工された加工画像を印刷する印刷処理を実行させるためのプログラムであって、前記加工画像を印刷する際に、前記加工された加工画像の画像ファイルを前記メモリに保存するためのステップを備えた。
【００１６】
これによれば、加工画像の印刷時に、加工画像の画像ファイルがメモリに保存されるので、その画像ファイルを利用して、加工画像の再印刷を容易に行うことができる。
【発明を実施するための最良の形態】
【００１７】
以下、本発明を具体化した一実施形態を図１〜図７に従って説明する。
本実施形態の印刷装置は、パソコン（ＰＣ）からスキャン指示を行うネットワークスキャン機能（Scanner ）、ＰＣから印刷指示を行うネットワークプリンタ機能（Printer ）、ローカルコピー機能(Copy)など複数機能を有するＳＰＣ複合装置である。
【００１８】
図１は、ＳＰＣ複合装置１を示す斜視図であり、図２は、原稿台カバーを開いた状態のＳＰＣ複合装置１を示す斜視図である。
図１及び図２に示すように、ＳＰＣ複合装置１は、原稿の画像を読み取って画像データとして入力するためのスキャナ部２と、画像データに基づいて画像を用紙等の媒体に印刷するプリンタ部３と、ユーザが操作するための操作パネル部４とを備える。ＳＰＣ複合装置１において、スキャナ部２で読み取った画像データがプリンタ部３に送信され内部の処理回路で印刷データに変換され、その印刷データに基づく画像が用紙に印刷されることでローカルコピー機能が実現される。
【００１９】
スキャナ部２はプリンタ部３の上に配置されており、そのスキャナ部２の上部には、読み取る原稿を載置するための例えばＡ４版の原稿台ガラス６と、原稿を読み取る際や不使用時に原稿台ガラス６を覆う原稿台カバー７とが設けられている。原稿台カバー７は、開閉可能に形成され、閉止した際には原稿台ガラス６上に載置された原稿を原稿台ガラス６側に押圧する機能も有している。
【００２０】
また、ＳＰＣ複合装置１の背面側にはプリンタ部３へ用紙を供給するための用紙供給部１１が設けられ、その用紙供給部１１には、カット紙（図示しない）を保持する給紙トレー１２が備えられている。ＳＰＣ複合装置１の前面側の下部に、プリンタ部３で印刷された用紙を排紙する排紙部１３が設けられ、その排紙部１３には、不使用時に排紙口を塞ぐことが可能な排紙トレー１４が備えられている。さらに、排紙部１３の上部に操作パネル部４が設けられている。なお、本実施形態においては、前記カット紙の最大用紙サイズとしてＡ４版を例に説明するが、これは一例であり、何等これに限るものではない。
【００２１】
操作パネル部４のほぼ中央には、液晶ディスプレイ１６が設けられている。液晶ディスプレイ１６は、設定項目や設定状態、動作状態等を文字にて表示することが可能であるとともに、スキャナ部２で読み取った画像を表示することも可能となっている。この液晶ディスプレイ１６の左側には、電源ボタン１７と、スキャンボタン１８と、設定表示ボタン１９と、クリアボタン２０とが設けられている。
【００２２】
電源ボタン１７は、ＳＰＣ複合装置１の電源を投入、遮断するためのボタンである。スキャンボタン１８は、スキャナ部２による原稿の読み取りを開始させるためのボタンである。設定表示ボタン１９は、ユーザにより設定されたコピー機能に対する設定状態を液晶ディスプレイ１６に表示させるためのボタンである。クリアボタン２０は、コピー機能に対する設定をクリアし、各設定項目をデフォルト値に変更するためのボタンである。
【００２３】
液晶ディスプレイ１６の右側には、カラーコピーボタン２１と、モノクロコピーボタン２２と、ストップボタン２３と、十字キー２４と、決定ボタン２５とが設けられている。カラーコピーボタン２１はカラーコピーを開始させるためのボタンであり、モノクロコピーボタン２２はモノクロコピーを開始させるためのボタンである。従って、これらのコピーボタン２１，２２は、コピー動作の開始指示と、出力すべき画像がカラー又はモノクロのいずれであるかを選択する選択手段とを兼ねている。ストップボタン２３は、一旦開始したコピー動作を中止させるためのボタンである。
【００２４】
十字キー２４は、上下左右の４つのボタンで構成されており、十字キー２４を押す位置によって上下左右のいずれかのボタンが操作されることとなる。この十字キー２４は、印刷設定条件の項目選択のためのカーソル移動や、入力中の数値（コピー枚数やコピー倍率などの数値）の増減を行うときに操作される。また、十字キー２４は、印刷画像のトリミングを行う際に、トリミング領域を指定するために操作される。決定ボタン２５は、十字キー２４を用いて選択した印刷設定条件やトリミング領域等を決定するためのボタンである。
【００２５】
液晶ディスプレイ１６の手前側には、液晶ディスプレイ１６に表示される設定項目を切り替えるメニューボタン２６が設けられている。メニューボタン２６は、左右に配置された２つのボタンで構成され、それぞれ左向きの矢印または右向きの矢印が表記されている。左右いずれかのメニューボタン２６が押される毎に、表示される設定項目が決められた順に順次切り替わり、一通り表示し終わると最初の設定項目が表示される。左右の矢印は、設定項目を表示する順番を変更するためであり、両ボタン２６は、互いに他のボタンを押した際の表示順と逆の順番で設定項目を表示する。
【００２６】
また、排紙部１３の右側には、メモリカードスロット２７が設けられている。このメモリカードスロット２７は、例えばＰＣＭＣＩＡ規格に準拠しており、このような規格に準拠したメモリカード２８が着脱可能に構成されている。メモリカード２８は、書き換え可能な不揮発性のメモリを内蔵しており、そのメモリカード２８にスキャナ部２で読み取った画像データなどが保存される。
【００２７】
さらに、ＳＰＣ複合装置１の本体側面には、外部機器と接続するための接続手段、例えばＵＳＢポート２９が設けられている。ＵＳＢポート２９は、例えば、ＳＰＣ複合装置１とホストコンピュータとをＵＳＢケーブルを介して接続する。ＳＰＣ複合装置がホストコンピュータに接続されることにより、スキャナ機能によるホストコンピュータへの画像の取り込み、プリンタ機能による印刷出力が実現される。
【００２８】
スキャナ部２は、内部に設けた発光部（図示略）から原稿台ガラス６を通して原稿に光を照射し、原稿による反射光をＣＣＤ（電荷結合素子）で検出することで原稿台ガラス６に載置した原稿の記載内容（画像または文章等）を読み取る。
【００２９】
プリンタ部３は、カラー画像の出力が可能な構成であり、例えば、シアン（Ｃ）、マゼンタ（Ｍ）、イエロ（Ｙ）、ブラック（Ｋ）の４色の色インクを、印刷用紙等の媒体上に吐出してドットを形成することによって画像を形成するインクジェット方式を採用している。なお、色インクとして、上記４色に加えて、ライトシアン（薄いシアン、ＬＣ）、ライトマゼンタ（薄いマゼンタ、ＬＭ）、ダークイエロ（暗いイエロ、ＤＹ）を用いてもよい。
【００３０】
図３は、ＳＰＣ複合装置１の電気的構成を示すブロック図である。なお、図３において、パソコン等に接続してプリンタやスキャナとして機能する場合に必要となるインターフェース回路等は省略している。
【００３１】
ＳＰＣ複合装置１は、プリンタ部３のケース内に全体的な制御を司るメイン基板（図示略）を備える。このメイン基板には、ＣＰＵ組み込みＡＳＩＣ（Application Specific ＩＣ）４１、プログラムＲＯＭ４２、第１のＳＤＲＡＭ４３、及び第２のＳＤＲＡＭ４４が実装されている。
【００３２】
ＡＳＩＣ４１は、ＣＰＵ４５、スキャナ入力回路４６、画像処理回路４７、メモリカード入出力回路４８、ヘッド制御ユニット４９、ＪＰＥＧ解凍／圧縮回路５０が内蔵されており、それらはＡＳＩＣ４１上の内部バス４１ａに接続されている。また、その内部バス４１ａには、ＡＳＩＣ４１に外付けされるプログラムＲＯＭ４２と第１のＳＤＲＡＭ４３と操作パネル部４とが接続されている。プログラムＲＯＭ４２には、ＣＰＵ４５により実行される制御プログラムなどが記憶されている。第１のＳＤＲＡＭ４３には、制御プログラムを実行して処理する画像データや印刷データなどが一時的に記憶される。
【００３３】
第２のＳＤＲＡＭ４４は、スキャナ入力回路４６と画像処理回路４７に接続されており、各回路４６，４７における処理の前後の画像データや印刷データが一時的に格納される。この第２のＳＤＲＡＭ４４には、複数のメモリ領域（ラインバッファ４４ａ、マイクロウィーブ(Micro Weave)バッファ４４ｂ、イメージバッファ４４ｃ等）が確保されている。
【００３４】
スキャナ入力回路４６にはスキャナ部２が接続されている。スキャナ部２は、原稿台ガラス６に載置された原稿を光学的に読み取ってＣＣＤ（電荷結合素子）２ａに蓄えられた電荷を、Ａ／Ｄ変換回路２ｂによってＡ／Ｄ変換する。そして、スキャナ部２は、Ａ／Ｄ変換されたデータをＡＳＩＣ４１のスキャナ入力回路４６に入力する。
【００３５】
スキャナ入力回路４６は、ＣＰＵ４５の制御の下、スキャナ部２から入力される各ラスタラインデータ（ＲＧＢの多階調画像データ）をＳＤＲＡＭ４４のラインバッファ４４ａに一旦蓄える。そして、スキャナ入力回路４６は、このラインバッファ４４ａに取り込んだＲＧＢデータに対してライン間補正処理を順次施し、同一ラインに対するＲＧＢデータとして画像処理回路４７に送る。なお、ライン間補正処理とは、スキャナ部２の構造上発生するＲ、Ｇ、Ｂの各リニアセンサ間の読み取り位置のズレを補正する処理である。詳述すると、スキャナ部２が有するＣＣＤ２ａは、Ｒ（レッド）、Ｇ（グリーン）、Ｂ（ブルー）の３色に対し色毎に１ラインずつのリニアセンサを有している。これら３本のリニアセンサは、読取キャリッジ（図示略）の走査方向に平行に並べられているため、原稿の同一ラインに照射された反射光を同時に受光することができない。すなわち、原稿の同一ラインに照射された反射光が各リニアセンサに受光される際には、時間的なズレが生じることになる。このため、リニアセンサの配列に伴う遅延時間分だけ遅れて送られてくるデータを同期させるための処理である。
【００３６】
また、スキャナ入力回路４６は、ライン間補正処理と並行して、ＲＧＢデータの読み取り解像度［ｄｐｉ］を、プリンタ部３が印刷するための印字解像度［ｄｐｉ］に変換する解像度変換処理も行う。つまり、ＲＧＢデータの読み取り解像度が、印字解像度よりも低い場合には、線形補間等を行って隣接するデータ間に新たなデータを生成し、逆に印字解像度よりも高い場合には、一定の割合でデータを間引く等して、ＲＧＢデータの解像度を印字解像度に揃える。尚、これは拡大若しくは縮小コピーする際にも同様である。
【００３７】
画像処理回路４７は、解像度変換処理が施された画像データを取り込み、色変換、ハーフトーン処理、マイクロウィーブ処理などの画像処理を行う。色変換処理は、ＲＧＢの多階調画像データから、ＣＭＹＫの４色の多階調画像データに変換する処理である。ハーフトーン処理は、多階調データを面積階調データに変換する処理である。マイクロウィーブ処理は、行間の縞（バンディング）を防止すべく、ドットラインの形成方法を調節する処理である。
【００３８】
この画像処理回路４７において、マイクロウィーブ処理が施されたデータはマイクロウィーブバッファ４４ｂに格納される。さらに、画像処理回路４７は、そのバッファ４４ｂに格納したデータを所定のサイズ毎に読み出して、諸情報（例えば、各色毎のノズル数、ヘッド走査回数など）に基づき並び替えた後、イメージバッファ４４ｃに転送する。このデータ転送の結果、イメージバッファ４４ｃには、プリンタ部３に設けられた書込キャリッジ（図示略）の走査毎の各ノズルにインクを吐出させるためのヘッド駆動データが格納される。
【００３９】
イメージバッファ４４ｃに記憶された走査毎のヘッド駆動データ（印刷データ）はＣＰＵ４５によって読み出され、ヘッド制御ユニット４９に転送される。ヘッド制御ユニット４９は、ＣＰＵ４５の制御によりヘッド駆動データに基づいてプリンタヘッド５１を駆動し、インク滴の吐出の有無や、吐出するインク滴の量を制御する。これによって、スキャナ部２が読み取った画像に対する印刷が実現される。
【００４０】
メモリカード入出力回路４８は、メモリカードスロット２７にメモリカード２８が装着されたときのインターフェース回路として機能する。ＣＰＵ４５は、そのメモリカード入出力回路４８を介してメモリカード２８へのデータの書き込み及び読み出しを行う。
【００４１】
ＪＰＥＧ解凍／圧縮回路５０は、ＣＰＵ４５の制御に基づいて、スキャナ入力回路４６から画像データを取り込み、符号化処理を施すことによりデータを圧縮して、スキャナ部２が読み取った原稿の画像に対応するＪＰＥＧ形式の画像ファイルを生成する。その画像ファイルはＳＤＲＡＭ４３に格納された後、メモリカード入出力回路４８を介してメモリカード２８に保存される。
【００４２】
また、ＪＰＥＧ解凍／圧縮回路５０は、メモリカード２８から読み出されたＪＰＥＧ形式の画像ファイルに対して復号化処理を施することで、画像ファイルを解凍（デコード）し、それにより得られた多階調画像データをＳＤＲＡＭ４３に格納する。その画像データは、ＣＰＵ４５の制御によって画像処理回路４７に転送され、上述した画像処理で印刷データに変換される。そして、その印刷データに基づいてプリンタヘッド５１が駆動されることで、メモリカード２８の画像ファイルに対応した画像が印刷される。
【００４３】
メモリカード２８には、スキャナ部２が読み取った画像の画像ファイルに加え、図示しないデジタルカメラで撮影した画像ファイルやパソコンで編集した画像ファイル等が格納されている。
【００４４】
本実施形態のＳＰＣ複合装置１は、メモリカード２８から読み出したオリジナル画像（原画像）に対して必要な部分のみを切り出した画像（トリミング画像）を印刷する機能に加え、その切り出し画像のファイルをメモリカード２８に保存する機能を持つ。
【００４５】
その切り出し画像を印刷・保存する場合の処理について図４に示すフローチャートに従って説明する。
先ず、ユーザは、切り出し画像を印刷するために操作パネル部４のメニューボタン２６を操作して、液晶ディスプレイ１６のメニュー画面に表示されるトリミング機能のメニュー項目を選択した後、決定ボタン２５をオンする。すると、ディスプレイ１６には詳細メニューが表示され、それを確認したユーザは、操作パネル部４の十字キー２４や決定ボタン２５を操作して、用紙サイズ、画質、コピー枚数などの印刷条件を設定するとともに、印刷を希望するオリジナル画像（原画像）を選択する。このとき、ＣＰＵ４５は、操作パネル部４から通知される操作信号に基づいて、各種の印刷条件を判断しその印刷条件のデータを記憶した後、図４の処理を開始する。
【００４６】
すなわち、ステップ１００において、ＣＰＵ４５は、選択されたオリジナル画像の画像ファイルをメモリカード２８から読み出し、その画像ファイルをＪＰＥＧ解凍／圧縮回路５０に転送する。ＪＰＥＧ解凍／圧縮回路５０において、画像ファイルがオリジナル画像に対応したＲＧＢの画像データにデコードされた後、該画像データがＳＤＲＡＭ４３に一旦格納される。ＣＰＵ４５は、その画像データに応じた表示データを操作パネル部４に送出することで、液晶ディスプレイ１６にオリジナル画像のプレビュー画面を表示させる。
【００４７】
図５には、そのオリジナル画像Ｐ１を表示したプレビュー画面の具体例を示している。ここで、ユーザがそのプレビュー画面を確認し、十字キー２４を操作することにより、画像を切り出したいトリミング領域Ｒ１を設定する。このとき、プレビュー画面には、破線で示すトリミング枠が描画され、そのトリミング枠で囲まれた領域がトリミング領域Ｒ１として決定される。このトリミング領域Ｒ１を設定するための操作方法としては、先ず、十字キー２４を操作してトリミング枠における左上の基点Ｘ１を指定した後、決定ボタン２５をオンする。同様に、十字キー２４を操作してトリミング枠における右下の基点Ｘ２を指定した後、決定ボタン２５をオンする。このボタン操作によって、トリミング領域Ｒ１が設定される。
【００４８】
ステップ１１０において、ＣＰＵ４５は、その操作信号を操作パネル部４から取得し、その操作信号に基づいて、オリジナル画像Ｐ１におけるトリミング領域Ｒ１（左上及び右下の基点Ｘ１，Ｘ２の座標）を判定する。そして、ＣＰＵ４５は、そのトリミング領域Ｒ１の画像データをＳＤＲＡＭ４３から取得して、それに応じた表示データを操作パネル部４に送出することで、液晶ディスプレイ１６には切り出し画像Ｐ２のプレビュー画面を表示させる（図５参照）。
【００４９】
続く、ステップ１２０において、ＣＰＵ４５は、トリミング領域Ｒ１の画像データに基づいて切り出し画像Ｐ２の印刷を行う。具体的には、ＳＤＲＡＭ４３に記憶されているオリジナル画像Ｐ１のデータからトリミング領域Ｒ１の画像データを抽出して画像処理回路４７に転送するとともに、印刷要求信号を画像処理回路４７に通知する。これにより、画像処理回路４７において、色変換、ハーフトーン処理、マイクロウィーブ処理などの画像処理が行われ、Ｒ、Ｇ、Ｂの各色の画像データから印刷データに変換される。ＣＰＵ４５は、その印刷データをヘッド制御ユニット４９に送り、該印刷データに基づいてプリンタヘッド５１を駆動することで、切り出し画像Ｐ２を用紙に印刷する。
【００５０】
その画像Ｐ２の印刷後、ＣＰＵ４５は、所定の表示データを操作パネル部４に送り、ユーザに切り出し画像Ｐ２を保存するか否かを選択させるための選択画面を液晶ディスプレイ１６に表示する。なお、その選択画面には、「はい」と「いいえ」の選択項目が表示されており、十字キー２４のボタン操作によりいずれかの項目が選択された後、決定ボタン２５がオンされる。
【００５１】
ステップ１３０において、ＣＰＵ４５は、ユーザによるボタン操作に基づいて、切り出し画像Ｐ２の保存を行うか否かを判断する。ここで、ユーザにより「いいえ」の項目が選択された場合には、切り出し画像Ｐ２の保存をすることなく本処理を終了する。一方、ユーザにより「はい」の項目が選択された場合は、ステップ１４０に移行してメモリカード２８に、切り出し画像Ｐ２の画像データを書き込む。具体的に、ＣＰＵ４５は、オリジナル画像Ｐ１のデータから抽出したトリミング領域Ｒ１の画像データをＪＰＥＧ解凍／圧縮回路５０に転送することで、切り出し画像Ｐ２に対応するＪＰＥＧ形式の画像ファイルを生成した後、該画像ファイルをメモリカード２８に書き込む。
【００５２】
続くステップ１５０において、ＣＰＵ４５は、オリジナル画像Ｐ１と切り出し画像Ｐ２の各ファイルを関連付けるためのスクリプトファイルを作成し、メモリカード２８に保存した後、本処理を終了する。
【００５３】
図６には、メモリカード２８に保存される各ファイルを示している。すなわち、メモリカード２８において、デジタルカメラなどで撮影されたオリジナル画像Ｐ１の各ファイルは、「￥（ルートディレクトリ）￥ＤＣＩＭ￥１００ＥＰＳＯＮ￥ファイル名」の形で保存されている。また、切り出し画像Ｐ２の各ファイルは、「￥￥ＥＰＴＲＭＩＭＧ￥１００ＥＰＳＯＮ￥ファイル名」の形で保存される。さらに、スクリプトファイルは、「￥￥ＥＰＴＲＭＩＭＧ￥ＯＲＧＩＭＧ￥ファイル名」の形で保存され、そのスクリプトファイルには、オリジナルファイル（ＯＲＧ  ＦＩＬＥ）の保存先を示すアドレス情報が定義されている。
【００５４】
具体的に、￥￥ＤＣＩＭ￥１００ＥＰＳＯＮのフォルダに保存されているオリジナル画像のファイル「ＥＰＳＮ０００１．ｊｐｇ」について、加工画像のファイル「ＥＴＲＭ０００１．ｊｐｇ」が、￥￥ＥＰＴＲＭＩＭＧ￥１００ＥＰＳＯＮのフォルダに保存される。また、そのスクリプトファイル「ＥＴＲＭ０００１．ｔｒｍ」は、￥￥ＥＰＴＲＭＩＭＧ￥ＯＲＧＩＭＧのフォルダに保存される。ここで、各ファイルは、それらファイル名に含まれる数値（ファイル番号＝０００１）でオリジナル画像（ＥＰＳＮ０００１．ｊｐｇ）に対応する各ファイルであることが識別される。また、スクリプトファイルは、それに対応する切り出し画像Ｐ２のファイルに対して、ファイル名は同じであり拡張子のみが異なる。従って、ファイル名に基づいて、切り出し画像Ｐ２のファイルに対応するスクリプトファイルを識別することが可能となっている。
【００５５】
本実施形態のＳＰＣ複合装置１は、メモリカード２８に保存した画像ファイルを利用して、切り出し画像Ｐ２の再印刷を行う印刷モードを有する。さらに、その再印刷の際には、メモリカード２８に保存したスクリプトファイルを読み出して、切り出し画像Ｐ２に対応するオリジナル画像Ｐ１を検索し、該オリジナル画像Ｐ１の印刷が行われる。
【００５６】
次に、切り出し画像Ｐ２を再印刷するための処理を図７のフローチャートに従って説明する。なお、図７の処理は、ユーザによってメニューボタン２６が操作されて切り出し画像Ｐ２の印刷モードが設定された後、コピーボタン２１がオンされた時に開始される。
【００５７】
先ず、ステップ２１０において、ＣＰＵ４５は、メモリカード２８の切り出し画像Ｐ２のフォルダ（￥￥ＥＰＴＲＭＩＭＧ￥１００ＥＰＳＯＮ）を参照し、切り出し画像Ｐ２の各画像ファイルについてそのファイル名を印刷ファイルリストに登録する。この印刷ファイルリストは、例えばＳＤＲＡＭ４３に作成される。続くステップ２２０において、ＣＰＵ４５は、作成した印刷ファイルリストを利用して、各切り出し画像Ｐ２を選択するための選択画面を液晶ディスプレイ１６に表示する。具体的に、その選択画面には、切り出し画像Ｐ２のファイル名がリスト表示される。そして、ユーザが十字キー２４をボタン操作することで、印刷を希望する切り出し画像Ｐ２のファイル名にカーソルを移動した後、決定ボタン２５をオンする。このとき、ＣＰＵ４５は、そのボタン操作に応じた操作信号を操作パネル部４から取り込んで、印刷対象の切り出し画像Ｐ２を確定する。
【００５８】
その後、ＣＰＵ４５は、ステップ２３０に移行して、選択された切り出し画像（選択画像）Ｐ２の印刷を行う。すなわち、ＣＰＵ４５は、選択画像に対応する画像ファイルをメモリカード２８から読み出して、ＪＰＥＧ解凍／圧縮回路５０に転送する。その後、ＣＰＵ４５は、ＪＰＥＧ解凍／圧縮回路５０において画像ファイルからデコードされた画像データを画像処理回路４７に送るとともに、印刷要求信号を画像処理回路４７に通知する。これにより、画像処理回路４７において、色変換、ハーフトーン処理、マイクロウィーブ処理などの画像処理が行われて画像データから印刷データに変換される。ＣＰＵ４５は、その印刷データをヘッド制御ユニット４９に送り、該印刷データに基づいてプリンタヘッド５１を駆動することで、切り出し画像Ｐ２を用紙に印刷する。
【００５９】
その画像Ｐ２の印刷後、ＣＰＵ４５は、所定の表示データを操作パネル部４に送り、オリジナル画像Ｐ１を印刷するか否かをユーザに選択させるための選択画面を液晶ディスプレイ１６に表示する。なお、その選択画面には、「はい」と「いいえ」の選択項目が表示されており、十字キー２４のボタン操作によりいずれかの項目が選択された後、決定ボタン２５がオンされる。
【００６０】
ステップ２４０において、ＣＰＵ４５は、ユーザによるボタン操作に基づいて、オリジナル画像Ｐ１を印刷するか否かを判定する。ここで、ここで、ユーザにより「いいえ」の項目が選択された場合には、オリジナル画像Ｐ１を印刷することなく本処理を終了する。一方、ユーザにより「はい」の項目が選択された場合は、ステップ２５０に移行して、切り出し画像Ｐ２に対応するスクリプトファイルを読み出し、スクリプト解析を行う。その解析の結果、スクリプトファイルに定義されているオリジナル画像Ｐ１のファイルをメモリカード２８から読み出し、ＪＰＥＧ解凍／圧縮回路５０に転送する。
【００６１】
ステップ２６０において、ＣＰＵ４５は、ＪＰＥＧ解凍／圧縮回路５０においてデコードされた画像データを画像処理回路４７に送るとともに、印刷要求信号を画像処理回路４７に通知する。これにより、画像処理回路４７において画像処理が行われて画像データから印刷データに変換される。ＣＰＵ４５は、その印刷データをヘッド制御ユニット４９に送り、該印刷データに基づいてプリンタヘッド５１を駆動することで、オリジナル画像Ｐ１を用紙に印刷する。
【００６２】
以上記述したように、本実施の形態によれば、以下の効果を奏する。
（１）加工画像としての切り出し画像Ｐ２を印刷する際に、その画像ファイルがメモリカード２８に保存される。従って、その画像ファイルを利用することにより、ユーザが希望する切り出し画像Ｐ２の再印刷を容易に行うことができる。
【００６３】
（２）メモリカード２８に保存したスクリプトファイルを参照し、該ファイルに定義されているオリジナルファイルのアドレス情報に基づいて、オリジナル画像Ｐ１のファイル検索を容易に行うことができる。その結果、切り出し画像Ｐ２の印刷に加えて、そのオリジナル画像Ｐ１の印刷も容易に行うことができる。
【００６４】
（３）スキャナ部２が読み取った原稿の画像ファイルがメモリカード２８に保存される。また、そのファイルを読み出して加工画像を印刷するときには、加工画像のファイルがメモリカード２８に保存されるため、スキャナ部２による再読み取りを行うことなく、加工画像の再印刷を容易に行うことができる。
【００６５】
（４）オリジナル画像Ｐ１と切り出し画像Ｐ２の各画像ファイルについて、ファイル名に含まれるファイル番号を同じ番号としたので、各画像ファイルを識別する上で実用上好ましいものとなる。
【００６６】
尚、上記実施形態は、以下の態様で実施してもよい。
・上記実施形態では、印刷装置としてＳＰＣ複合装置１に具体化するものであったが、図８のようなプリンタ６１に具体化してもよい。このプリンタ６１は、その本体６１ａにカードスロット６２を有し、メモリカード６３をカードスロット６２にセットすることにより、メモリカード６３から画像データを読み込んで、例えばデジタルカメラで撮影した画像をホストコンピュータを通さず印刷することができる。すなわち、このプリンタ６１は、スタンドアロン型のプリンタであり、上記実施形態と同様に、そのメイン基板にはＣＰＵ４５、画像処理回路４７、メモリカード入出力回路４８、ヘッド制御ユニット４９、ＪＰＥＧ解凍／圧縮回路５０を内蔵したＡＳＩＣが実装されている。また、本体６１ａの上面右側には操作パネル部６４が設けられている。操作パネル部６４には、設定項目や設定状態、動作状態等を文字にて表示する液晶ディスプレイ６５と、複数の操作ボタン（コピーボタン２１、十字キー２４、決定ボタン２５など）とを備えている。さらに、プリンタ６１の本体６１ａの上部には、メモリカード６３から読み込んだ画像をカラー表示する液晶ディスプレイ６６が取り付けられている。液晶ディスプレイ６６には、メモリカード６３から読み込んだ画像のプレビュー画像を表示させることができ、プレビュー画像上でトリミング領域を指定したり、印刷画像を事前に確認したりすることができる。そして、このプリンタ６１において、オリジナル画像Ｐ１と切り出し画像Ｐ２との各画像ファイルを関連付けてメモリカード２８に保存することにより、切り出し画像Ｐ２の再印刷を容易に行うことができるとともに、切り出し画像Ｐ２に対応するオリジナル画像Ｐ１の印刷も容易に行うことができる。
【００６７】
・デジタルカメラで撮影した画像を記録・表示するためのビューワを印刷装置に接続し、そのビューワを使用して加工した加工画像をオリジナル画像に関連付けてメモリカードに保存してもよい。このようにしても、加工画像の印刷に加え、そのオリジナル画像の印刷を容易に行うことができる。
【００６８】
・上記実施形態では、オリジナル画像Ｐ１からトリミングを行った切り出し画像Ｐ２のファイルを、オリジナル画像Ｐ１のファイルと関連付けてメモリカード２８に保存するものであった。このトリミング以外に、画像の明るさやコントラストの調整、カラーバランスの調整などを行うレタッチ処理を施した加工画像のファイルをオリジナル画像Ｐ１のファイルと関連付けてメモリカード２８に保存してもよい。またこの場合には、レタッチ処理を施した切り出し画像のファイルをメモリカード２８に保存してもよいし、レタッチ情報をスクリプトファイルに記述し、レタッチ処理を施す前の切り出し画像のファイルをメモリカード２８に保存してもよい。
【００６９】
・上記実施形態では、スクリプトファイルに基づいて、オリジナル画像Ｐ１と切り出し画像Ｐ２との関連付けを行うものであったが、これに限定されるものではない。例えば、図６に示すように、オリジナル画像Ｐ１の各ファイルを保存するフォルダと切り出し画像Ｐ２の各ファイルを保存するフォルダについて、同じフォルダ名「１００ＥＰＳＯＮ」とし、該フォルダ名と各画像ファイルのファイル番号とを用いて関連付けてもよい。
【００７０】
・上記実施形態では、切り出し画像Ｐ２の再印刷時に、スクリプトファイルに定義されたアドレス情報に基づいて、オリジナル画像Ｐ１の画像ファイルを読み出してその画像Ｐ１の印刷を行うものであったが、これに限定されるものではない。すなわち、オリジナル画像Ｐ１の印刷時に、加工画像のファイルを読み出して該加工画像の印刷を行うようにしてもよい。
【００７１】
・上記実施形態において、印刷対象の画像ファイルとしてＪＰＥＧ形式のファイルをメモリカード２８に保存するものであったが、これ以外に、例えば、ディジタルスチルカメラ用画像ファイルフォーマットであるＥｘｉｆ形式、ＴＩＦＦ形式、ビットマップ形式などの画像ファイルを保存してもよい。
【００７２】
上記実施形態から把握できる技術的思想を以下に記載する。
（１）前記原画像のファイルと加工画像のファイルとについて、各ファイル名に含まれるファイル番号を同じ番号としたことを特徴とする請求項２に記載の印刷装置。
【００７３】
（２）前記スクリプトファイルには、前記加工画像のレタッチ情報を記述したことを特徴とする請求項３に記載の印刷装置。
（３）前記スキャナ部とプリンタ部とを一体として具備し、スキャナ機能とプリンタ機能とコピー機能との複数機能を有することを特徴とする請求項７に記載の印刷装置。
【図面の簡単な説明】
【００７４】
【図１】一実施形態のＳＰＣ複合装置を示す斜視図。
【図２】スキャナ部のカバーを開いた状態のＳＰＣ複合装置を示す斜視図。
【図３】ＳＰＣ複合装置の電気的構成を示すブロック図。
【図４】切り出し画像の印刷と保存処理を示すフローチャート。
【図５】オリジナル画像及び切り出し画像を示す説明図。
【図６】メモリカードに保存される各ファイルを示す説明図。
【図７】切り出し画像の再印刷処理を示すフローチャート。
【図８】別例のプリンタを示す斜視図。
【符号の説明】
【００７５】
１…印刷装置としてのＳＰＣ複合装置、２…スキャナ部、３…プリンタ部、１６，６６…画像表示部としての液晶ディスプレイ、２４…操作ボタンとしての十字キー、２５…操作ボタンとしての決定ボタン、２８…メモリとしてのメモリカード、６１…印刷装置としてのプリンタ、Ｐ１…原画像としてのオリジナル画像、Ｐ２…加工画像としての切り出し画像、Ｒ１…トリミング領域。
【図１】
2005111843.tif 000003
【図２】
2005111843.tif 000004
【図３】
2005111843.tif 000005
【図４】
2005111843.tif 000006
【図５】
2005111843.tif 000007
【図６】
2005111843.tif 000008
【図７】
2005111843.tif 000009
【図８】
2005111843.tif 000010